(57)【要約】【課題】複数の内視鏡スコープの中から、使用した内視鏡スコープを検索処理により絞り込む技術を提供する。【解決手段】撮像画像記憶部１６０は撮像された画像を記憶する。型番対応関係記憶部１５０は、内視鏡スコープの種別を識別するための装置種別情報と、撮像素子の種別を識別するための撮像素子種別情報との対応関係を記憶する。スコープ情報記憶部１５２は、内視鏡スコープを識別するための機器情報と、内視鏡スコープの種別を識別するための装置種別情報との対応関係を記憶する。撮像素子種別情報取得部１４０は、撮像画像記憶部１６０に記憶された画像に付加されている撮像素子種別情報を取得する。検索処理部１００は、型番対応関係記憶部１５０に記憶された対応関係と、スコープ情報記憶部１５２に記憶された対応関係とを参照して、撮像素子種別情報取得部１４０における取得結果をもとに、１つまたは複数の撮像装置を特定する。【選択図】図２
2016053833.tif 000002
【特許請求の範囲】
【請求項１】
撮像装置に含まれる撮像素子により撮像された画像を記憶する第１記憶部と、
撮像装置の種別を識別するための装置種別情報と、撮像素子の種別を識別するための撮像素子種別情報との対応関係を記憶する第２記憶部と、
撮像装置を識別するための機器情報と、撮像装置の種別を識別するための装置種別情報との対応関係を記憶する第３記憶部と、
前記第１記憶部に記憶された画像に付加されている撮像素子種別情報を取得する撮像素子種別情報取得部と、
前記第２記憶部に記憶された対応関係と、前記第３記憶部に記憶された対応関係とを参照して、前記撮像素子種別情報取得部における取得結果をもとに、１つまたは複数の撮像装置を特定する検索処理部と、
を備えることを特徴とする情報処理システム。
【請求項２】
前記検索処理部は、
前記第２記憶部に記憶された対応関係を参照して、前記撮像素子種別情報取得部が取得した撮像素子種別情報に対応付けられている装置種別情報を特定する第１検索部と、
前記第３記憶部に記憶された対応関係を参照して、前記第１検索部により特定された装置種別情報に対応付けられている機器情報を特定する第２検索部と、
を備えることを特徴とする請求項１に記載の情報処理システム。
【請求項３】
画像が撮像されたときの状況を示す状況情報を取得する状況情報取得部をさらに備え、
前記第３記憶部は、機器情報と、装置種別情報と、撮像装置が使用される状況を示す状況情報との対応関係を記憶し、
前記第２検索部は、前記第１検索部により特定された装置種別情報と、前記状況情報取得部により取得された状況情報とに対応付けられている機器情報を特定する、
ことを特徴とする請求項２に記載の情報処理システム。
【請求項４】
前記第２検索部は、前記撮像素子種別情報取得部により撮像素子種別情報が取得されない場合に、前記第３記憶部に記憶された対応関係を参照して、前記第２記憶部に含まれる装置種別情報を有しない機器情報を特定する、
ことを特徴とする請求項３に記載の情報処理システム。
【請求項５】
前記第２検索部は、前記状況情報取得部により取得された状況情報に対応付けられている機器情報を特定する、
ことを特徴とする請求項４に記載の情報処理システム。
【請求項６】
前記検索処理部により特定された撮像装置の数が１つか複数であるかを判定する判定部と、
前記判定部により撮像装置の数が１つであることが判定されると、その撮像装置の機器情報を登録する登録制御部と、
前記判定部により撮像装置の数が複数であることが判定されると、複数の撮像装置の機器情報を表示する表示制御部と、
表示された複数の機器情報の中から、少なくとも１つを選択する選択入力を受け付ける入力受付部と、をさらに備え、
前記登録制御部は、選択された機器情報を登録することを特徴とする請求項１から５のいずれかに記載の情報処理システム。
【請求項７】
前記画像は医用画像であり、
前記撮像装置は、医用画像を撮像する医用画像撮像装置であり、
前記第３記憶部は、施設内で管理されている医用画像撮像装置を識別するための機器情報と、医用画像撮像装置の種別を識別するための装置種別情報との対応関係を記憶する、
ことを特徴とする請求項１から６のいずれかに記載の情報処理システム。
【発明の詳細な説明】
【技術分野】
【０００１】
本発明は、複数の画像装置の中から、画像を撮像した撮像装置を検索処理により絞り込む技術に関する。
【背景技術】
【０００２】
Ｅｘｉｆ（Exchangeable image file format）は、デジタルカメラで撮像された画像用のメタデータを含む画像ファイルフォーマットを規定する。デジタルカメラで撮像された画像データに、Ｅｘｉｆ情報として様々なメタデータを付加することで、ビューワがメタデータを解析して、様々な再生処理を行えるようになっている。特許文献１は、これらの付加情報が破棄された画像から直接得られる画質情報を読み取り、読み取った画質情報に基づいてデジタルカメラの機種を特定して画質補正を行う技術を開示している。
【先行技術文献】
【特許文献】
【０００３】
【特許文献１】特開２００８−３５３９３号公報
【発明の概要】
【発明が解決しようとする課題】
【０００４】
内視鏡検査においては、内視鏡スコープの挿入部が患者の体内に挿入され、内視鏡スコープが接続される画像処理装置が、内視鏡スコープの撮像素子で撮像された画像を処理して、表示装置に表示する。内視鏡スコープにはレリーズスイッチが設けられており、医師がレリーズスイッチを操作すると、そのときの体内画像が静止画像として取得され、画像記録装置に送信される。画像記録装置において、撮像された検査画像は検査オーダの特定情報（検査ＩＤ）に紐付けられて記録される。１回の内視鏡検査では、たとえば数十枚の検査画像が撮像され、検査の終了後、医師が端末装置で検査レポートを作成する際には、検査ＩＤに紐付けられた検査画像が端末装置に取り込まれて、医師が検査画像を選択して、レポートに貼り付けられるようになっている。
【０００５】
医療施設においては内視鏡検査による患者から患者への感染を防止するために、定められたガイドラインにしたがって、使用された内視鏡スコープの洗浄、消毒が慎重に行われている。このように医療施設において内視鏡スコープの取り扱いには十分な注意を払う必要があり、検査終了後には、患者にどの内視鏡スコープを使用したかを記録して、内視鏡スコープの使用状況が登録されることが好ましい。検査画像に内視鏡スコープの識別情報がメタデータとして付加されていれば、検査画像から内視鏡スコープの識別情報を抽出することで、使用した内視鏡スコープの識別情報を検査情報の１つとして簡単に記録することができる。
【０００６】
一方で、検査画像に内視鏡スコープの識別情報がメタデータとして付加されていない場合には、たとえば医師や看護師が、医療施設内で保有している全ての内視鏡スコープの表示リストの中から、使用した内視鏡スコープを探し出して選択する必要がある。このときスコープ本数が少なければ、表示リストから探し出す作業もそれほど手間ではないが、スコープ本数が数十本を超えるような場合には作業負担が大きく、使用したスコープを特定するのに時間がかかるだけでなく、選択間違いも生じやすいという問題がある。
【０００７】
本発明はこうした状況に鑑みなされたものであり、その目的は、医療施設内で保有している複数の内視鏡スコープの中から、使用した内視鏡スコープを特定し、または使用した内視鏡スコープの候補を絞り込んでユーザに提示する技術を提供することにある。なお本発明は、内視鏡検査で使用した内視鏡スコープに限らず、他の種類の撮像装置の特定処理においても利用できる。
【課題を解決するための手段】
【０００８】
上記課題を解決するために、本発明のある態様の情報処理システムは、撮像装置に含まれる撮像素子により撮像された画像を記憶する第１記憶部と、撮像装置の種別を識別するための装置種別情報と、撮像素子の種別を識別するための撮像素子種別情報との対応関係を記憶する第２記憶部と、撮像装置を識別するための機器情報と、撮像装置の種別を識別するための装置種別情報との対応関係を記憶する第３記憶部と、第１記憶部に記憶された画像に付加されている撮像素子種別情報を取得する撮像素子種別情報取得部と、第２記憶部に記憶された対応関係と、第３記憶部に記憶された対応関係とを参照して、撮像素子種別情報取得部における取得結果をもとに、１つまたは複数の撮像装置を特定する検索処理部とを備える。
【０００９】
なお、以上の構成要素の任意の組み合わせ、本発明の表現を方法、装置、システム、記録媒体、コンピュータプログラムなどの間で変換したものもまた、本発明の態様として有効である。
【発明の効果】
【００１０】
本発明によれば、画像を撮像した撮像装置を特定し、または画像を撮像した撮像装置の候補を特定する技術を提供することができる。
【図面の簡単な説明】
【００１１】
【図１】本発明の実施例にかかる情報処理システムの構成を示す図である。
【図２】使用した内視鏡スコープの登録支援機能を実現するための機能ブロックを示す図である。
【図３】入力支援システムのシステム起動・終了画面を示す図である。
【図４】検査業務メイン画面を示す図である。
【図５】実施未登録検査一覧画面を示す図である。
【図６】実施入力画面を示す図である。
【図７】型番対応関係記憶部に記憶される対応関係の一例を示す図である。
【図８】スコープ情報記憶部に記憶される対応関係の一例を示す図である。
【図９】実施入力画面に重畳表示される入力用ウィンドウの一例を示す図である。
【発明を実施するための形態】
【００１２】
図１は、本発明の実施例にかかる情報処理システム１の構成を示す図である。情報処理システム１は、内視鏡検査を支援するための医療行為支援システムであり、内視鏡システム１０、医用画像管理装置４２、検査情報管理装置４４、複数の情報処理装置３０、３４を備え、それらはＬＡＮ（ローカルエリアネットワーク）などのネットワーク２によって相互接続される。情報処理装置３０、３４はたとえばパーソナルコンピュータであって、それぞれ画面出力可能に表示装置３２、３６と接続されてよいが、情報処理装置３０、３４は表示装置と一体となったラップトップコンピュータであってもよく、また携帯型タブレットであってもよい。情報処理装置３０は、内視鏡システム１０を備えた検査室内に配置され、情報処理装置３４は、検査科、ここでは内視鏡科に配置されている。
【００１３】
内視鏡検査は、オーダリングシステム（図示せず）により発行される検査オーダ情報にしたがって実施される。情報処理装置３０は検査室内に配置されて、内視鏡検査オーダの一覧画面を表示装置３２に表示し、医師がオーダ一覧から、これから実施するオーダを選択すると、情報処理装置３０は、表示装置３２にオーダ詳細確認画面を表示する。医師は、この確認画面をみて、検査内容を確認してから、内視鏡検査を実施する。
【００１４】
内視鏡システム１０は、内視鏡スコープ１２、画像処理装置１４および表示装置１６を備える。内視鏡スコープ１２は、撮像素子（イメージセンサ）１８と、レリーズスイッチを含む操作部２０とを有して構成される。撮像素子１８は内視鏡スコープ１２に設けられ、挿入部が患者の体内に挿入されて体内を撮像し、医師が操作部２０のレリーズスイッチを押したタイミングで、画像処理装置１４が体内画像を静止画像として取得する。撮像素子１８は、たとえばＣＣＤイメージセンサまたはＣＭＯＳイメージセンサであり、信号処理回路（図示せず）とともに撮像モジュールを構成する。撮像素子１８は入射光を電気信号に変換し、信号処理回路は、撮像素子１８により光電変換されたデータに対して、Ａ／Ｄ変換、ノイズ除去などの信号処理を施して、画像処理装置１４に出力する。
【００１５】
画像処理装置１４は、内視鏡システム１０全体を統括的に制御する。画像処理装置１４の一つの重要な役割は、内視鏡スコープ１２により取得されている映像を表示装置１６にリアルタイムで表示させることであり、もう一つの重要や役割は、医師がレリーズスイッチを押したタイミングで撮像素子１８により撮像された画像を医用画像管理装置４２に送信して、画像記憶部（データベース）に記憶させることである。医用画像管理装置４２は、画像処理装置１４から送信される内視鏡画像データを受け取り、検査オーダごとにまとめて画像記憶部に蓄積する。
【００１６】
内視鏡スコープ１２および画像処理装置１４は、撮像ユニット２２を構成する。本実施例において撮像ユニット２２から医用画像管理装置４２に送信される検査画像には、付加されるメタデータの観点から、少なくとも３種類のタイプのものが存在する。
（１）タイプ１
メタデータとして、内視鏡スコープ１２を識別するための機器情報と、撮像素子１８の種別を識別するための撮像素子種別情報とが含まれている検査画像。
内視鏡スコープ１２が、機器情報を保持する保持部（メモリ）を有し、撮像素子１８を含む撮像ユニットが、撮像素子種別情報を保持する保持部（メモリ）を有しており、画像処理装置１４が、機器情報および撮像素子種別情報を各保持部から取得して、レリーズスイッチが操作されたときに、画像データに、機器情報および撮像素子種別情報をメタデータとして付加したタイプ１の検査画像データを生成する。なお撮像ユニットが、撮像素子種別情報を含めた画像データを画像処理装置１４に提供し、画像処理装置１４が、予め取得している機器情報を、画像データに付加するようにしてもよい。
【００１７】
ここで「機器情報」は、内視鏡スコープ１２を一意に特定するための識別情報であり、たとえばシリアル番号などのスコープＩＤであってよい。また「撮像素子種別情報」は、撮像素子１８の種類を特定するための識別情報であり、たとえば撮像素子の型番であってよい。内視鏡スコープ１２には、上部内視鏡検査用、下部内視鏡検査用、内視鏡的逆行性胆道膵管造影用（Endoscopic retrograde cholangiopancreatography : ERCP）、呼吸器内視鏡用、耳鼻咽喉内視鏡用、泌尿器内視鏡用など、様々な種類がある。同じ型番の撮像素子が、異種の検査用の内視鏡スコープに搭載されることもあり、また異なる型番の同種の検査用の内視鏡スコープに搭載されることもある。
【００１８】
（２）タイプ２
メタデータとして、撮像素子１８の種別を識別するための撮像素子種別情報が含まれている検査画像。機器情報はメタデータに含まれていない。
撮像ユニットが撮像素子種別情報を保持する保持部を有し、画像処理装置１４が、撮像素子種別情報を保持部から取得して、レリーズスイッチが操作されたときに、画像データに、撮像素子種別情報をメタデータとして付加したタイプ２の検査画像データを生成する。なお撮像ユニットが、撮像素子種別情報を付加したタイプ２の検査画像データを生成してもよい。
【００１９】
たとえば旧型の内視鏡スコープが、撮像素子種別情報の出力機能を搭載するものの、機器情報の出力機能を搭載していない場合、旧型の内視鏡スコープを接続された撮像ユニット２２は、タイプ２の検査画像を生成する。一方、新型の内視鏡スコープが、撮像素子種別情報の出力機能に加え、機器情報の出力機能も搭載していると、新型の内視鏡スコープを接続された撮像ユニット２２は、タイプ１の検査画像を生成する。このように撮像ユニット２２がタイプ１またはタイプ２の検査画像を生成するかは、撮像素子種別情報の出力機能を有する内視鏡スコープが、機器情報の出力機能を搭載しているか否かによって決まる。
【００２０】
（３）タイプ３
メタデータとして、機器情報および撮像素子種別情報を含まない検査画像。
内視鏡スコープが、機器情報および撮像素子種別情報の出力機能を有しない場合に、タイプ３の検査画像が生成される。なお内視鏡スコープ１２と画像処理装置１４とが、たとえば別のメーカによって製造されているような場合に、内視鏡スコープ１２が、機器情報および／または撮像素子種別情報を出力しても、画像処理装置１４がそれらの情報を取得できないようなときにも、タイプ３の検査画像が生成されることがある。また検査画像が、表示装置１６に表示される表示画像をキャプチャして生成されるような場合にも、メタデータが付加されずに、タイプ３の検査画像が生成されることもある。
【００２１】
以上のように情報処理システム１においては、内視鏡スコープ１２と画像処理装置１４との関係から、３つのタイプの検査画像が生成される。画像処理装置１４は、生成した検査画像を医用画像管理装置４２に送信し、医用画像管理装置４２は、検査画像を、検査オーダを特定する検査ＩＤに紐付けて、画像記憶部に記憶する。
【００２２】
医用画像管理装置４２は、内視鏡システム１０から受信した画像を画像記憶部に記憶し、また情報処理装置３０、情報処理装置３４に対して、記憶した画像を提供するサーバとして構成される。医用画像管理装置４２は、画像記憶部をＨＤＤ（ハードディスクドライブ）で構成してもよく、またフラッシュメモリで構成してもよい。各情報処理装置３０、３４は、医用画像管理装置４２にアクセスして、画像記憶部に記憶された検査画像を各表示装置３２、３４に表示できる。
【００２３】
情報処理装置３４は内視鏡科に設置されており、キーボードなどのユーザインタフェースが接続されている。医師は、検査が終了すると、情報処理装置３４で検査レポートを作成する。このとき情報処理装置３４は、医用画像管理装置４２から検査画像（内視鏡画像）を取得して表示装置３６に表示し、医師は、必要な画像を選択してレポートに貼り付け、検査情報管理装置４４に検査情報として登録する。また医師や看護師は、会計処理に必要な情報を情報処理装置３４から入力して、検査情報管理装置４４に検査情報として登録する。本実施例の情報処理システム１においては、検査情報を登録するための入力画面が表示装置３６に表示され、医師や看護師等の医療従事者が、必要な情報を入力画面から入力することで、検査情報が検査情報管理装置４４に登録される。本実施例の情報処理システム１は、使用した内視鏡スコープ１２の機器情報の登録を支援する機能を有する。
【００２４】
図２は、使用した内視鏡スコープの登録支援機能を実現するための機能ブロックを示す。情報処理システム１は、検索処理部１００、制御部１２０、撮像素子種別情報取得部１４０、状況情報取得部１４２、型番対応関係記憶部１５０、スコープ情報記憶部１５２、撮像画像記憶部１６０および検査情報記憶部１７０を備える。検索処理部１００は、第１検索部１０２および第２検索部１０４を備え、制御部１２０は、判定部１２２、登録制御部１２４、表示制御部１２６および入力受付部１２８を備える。
【００２５】
これらの構成はハードウエア的には、任意のプロセッサ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。なお図２に示す登録支援機能は、情報処理装置３４、医用画像管理装置４２および検査情報管理装置４４が協働して実現される。
【００２６】
たとえば検索処理部１００、制御部１２０、撮像素子種別情報取得部１４０および状況情報取得部１４２の各機能は、情報処理システム１に設けられるＣＰＵにより実現されてよい。また型番対応関係記憶部１５０、スコープ情報記憶部１５２、撮像画像記憶部１６０および検査情報記憶部１７０の各機能は、情報処理システム１に設けられるメモリにより実現されてよい。
【００２７】
情報処理システム１は、医療従事者が日次の検査業務の記録を入力するための入力画面を生成して、医療従事者が入力した検査等の実施データを検査情報管理装置４４に登録する入力支援システムを提供する。検査情報管理装置４４は、患者の検査情報を登録する検査情報記憶部１７０を有する。
【００２８】
検査情報には、検査内容に関する情報として、検査予定日および検査実施日を含む日付情報と、検査種別および検査項目を含む検査内容が含まれる。たとえば検査内容に関する情報は、当該検査に対して発行された検査オーダ情報から抽出して、検査情報記憶部１７０に登録されてもよい。なお検査実施時に、検査オーダ情報で指定された検査内容に変更や追加があったような場合には、検査実施中ないしは検査終了後に、検査オーダ情報が適切に修正されて、検査情報管理装置４４が、修正された検査オーダ情報をもとに検査情報を修正する。
【００２９】
また検査情報には、検査終了後に、医師により入力される検査のレポート情報が含まれる。レポートには、検査部位に対する診断情報や処置情報が含まれ、必要に応じて撮像した検査画像が貼り付けられる。
【００３０】
また検査情報には、医療従事者により入力される検査の実施内容に関する実施情報が含まれる。実施情報は、内視鏡検査において実施した「手技」や、使用した「薬品」、「器材」などの情報を含む。これらの実施情報は、会計システムに送信されて、会計処理にて請求額の算定に使用される。
【００３１】
以下、医療従事者が内視鏡科に設置された情報処理装置３４から、検査情報を入力する手順について説明する。本実施例において検索処理部１００の各機能および制御部１２０の各機能は情報処理装置３４において実現されるが、これらの各機能の少なくとも一部が検査情報管理装置４４において実現されてもよい。
【００３２】
表示制御部１２６が、検査情報を登録するための入力画面を生成し、表示装置３６に表示する。
図３は、入力支援システムのシステム起動・終了画面５１を示す。システム起動・終了画面５１においては、検査業務アイコン５２、カンファレンスアイコン５３、統計・履歴アイコン５４、管理機能アイコン５５が表示される。医療従事者が、ユーザＩＤとパスワードを入力して、ログインすると、各アイコンに対応する機能が起動可能となる。なお医療従事者が終了ボタン５０を選択すると、入力支援システムが終了する。
【００３３】
「検査業務」機能は、通常の内視鏡検査業務で使用する機能である。患者受付、前処置実施入力、撮影、実施入力、レポート入力などの一連の検査業務を行うことができる。
「カンファレンス」機能は、過去の内視鏡検査を検索し、検査画像の供覧、検査レポートの供覧・編集を行うことができる。
「統計・履歴」機能は、各種データ集計、およびスコープ使用履歴、フォローアップが必要な検査の検索を行うことができる。スコープの使用情報については、「検査業務」機能により提供される入力画面から検査情報の１つとして登録され、統計・履歴機能により、スコープの使用履歴をまとめて表示できる。
「管理機能」は、システム管理者が操作する機能であり、その実行にはアクセス制限が課される。本システムで使用する各種設定や、オーダの照合・統合、送信ログ表示などを行うことができる。
【００３４】
図４は、検査業務メイン画面５８を示す。図３のシステム起動・終了画面５１において、医療従事者が検査業務アイコン５２を選択すると、図４に示す検査業務メイン画面５８が表示装置３６に表示される。画面の左側には、検査業務に対応したアイコンが並べられ、医療従事者が選択することで、対応する入力画面が表示されるようになっている。画面の左側には、患者受付アイコン５９、前処置入力アイコン６０、撮影アイコン６１、実施入力アイコン６２、レポート入力アイコン６３、検査状況一覧アイコン６４、検査オーダボタン６５が配置される。
【００３５】
図５は、実施未登録検査一覧画面６７を示す。図４の検査業務メイン画面５８において、医療従事者が実施入力アイコン６２を選択すると、図５に示す実施未登録検査一覧画面６７が表示装置３６に表示される。実施未登録検査一覧画面６７には、検査の実施情報が未入力である検査一覧６８が含まれる。表示制御部１２６は、検査情報記憶部１７０に記憶されている検査情報を参照して、指定された日付（ここでは２０１４年５月２０日）の検査のうち、検査が終了し且つ実施情報が登録されていない検査の一覧を表示する。医療従事者が、登録済み検査一覧ボタン６９を押すと、表示制御部１２６は、検査情報記憶部１７０に記憶されている検査情報を参照して、指定された日付の検査のうち、検査が終了し且つ実施情報が登録されている検査の一覧を表示する。
【００３６】
図６は、実施入力画面７０を示す。図５に示す実施未登録検査一覧画面６７において、医療従事者が、患者ＩＤ「ａｂｃ１２３」に対して実施された検査を選択すると、図６に示す実施入力画面７０が表示装置３６に表示される。実施入力画面７０は、画面の左側に患者情報、検査オーダ情報を含み、画面の右側に、内視鏡検査における実施情報に対応したアイコンが並べられる。この例では、実施医アイコン７１、看護師アイコン７２、手技アイコン７３、加算アイコン７４、薬剤アイコン７５、器材アイコン７６、スコープアイコン７７が配置されている。医療従事者が、いずれかのアイコン７１〜７７を選択すると、対応する実施情報の入力用ウィンドウが開き、実施情報を入力できるようになっている。このとき入力用ウィンドウには、候補となる情報の一覧が並べて表示され、医療従事者が情報を選択できるようにされてもよい。実施情報が入力され、登録ボタン７８が押されると、入力された実施情報が、検査情報として検査情報記憶部１７０に登録される。
【００３７】
実施入力画面７０において、既に検査情報記憶部１７０に記録されている検査情報に対応する実施情報が表示されていてもよい。たとえば内視鏡検査の実施医や看護師の情報が、検査オーダ情報から抽出されて検査情報記憶部１７０に既に登録されている場合には、これらの情報が実施入力画面７０に最初から表示されていてもよい。ここでは、実施医として「医師１」、看護師として「看護師１」が最初から表示された実施入力画面７０が示されている。医療従事者は、入力がされていない実施情報のアイコンを選択して、入力用ウィンドウから、対応する情報を選択して検査情報記憶部１７０に登録する。
【００３８】
以下、内視鏡スコープの使用情報の登録処理について説明する。使用した内視鏡スコープの機器情報（スコープＩＤ）を登録するためには、医療従事者がスコープアイコン７７を選択して入力用ウィンドウを開き、入力用ウィンドウに表示された複数の内視鏡スコープの中から、使用した内視鏡スコープを選択する。このとき医療施設内で保有する内視鏡スコープの本数が数十を超えるような場合には、入力用ウィンドウに、数十を超える内視鏡スコープの情報を並べたスコープ一覧が表示されることになる。
【００３９】
スコープ一覧に含めるスコープ数を減らすためには、入力用ウィンドウ内に、たとえば検査種別を選択する選択欄を設けて、医療従事者が検査種別を選択すると、その選択された検査種別に対応するスコープのみが一覧表示されるようにしてもよい。たとえば検査種別として「上部内視鏡検査」を選択することで、上部内視鏡検査用のスコープのみが一覧表示されるようになり、医療施設内の全てのスコープを表示するときと比べて、表示するスコープ数を減らすことができる。
【００４０】
しかしながら、上部内視鏡検査用のスコープを十以上保有している医療施設においては、検査種別を「上部内視鏡検査」に絞り込んでスコープ一覧を表示させた場合であっても、十以上の上部内視鏡スコープの情報が入力用ウィンドウに並べられる。依然として、表示されるスコープ数は多く、さらにスコープの絞り込み処理を行って、表示するスコープ数を少なくすることが好ましい。
【００４１】
図２に戻って、医用画像管理装置４２は、内視鏡システム１０から送信される検査画像を記憶する撮像画像記憶部１６０を有する。具体的に撮像画像記憶部１６０は、内視鏡スコープ１２に含まれる撮像素子１８により撮像された画像を記憶する。検索処理部１００は、撮像画像記憶部１６０に記憶された検査画像に付加されたメタデータを参照して、内視鏡検査で使用した内視鏡スコープ１２の絞り込み処理を行う。また検索処理部１００は、検査画像にメタデータが付加されていない場合には、このメタデータが付加されていないという事柄を利用して、内視鏡検査で使用した内視鏡スコープ１２の絞り込み処理を行う。
【００４２】
型番対応関係記憶部１５０は、撮像装置（観察装置）である内視鏡スコープ１２の種別を識別するための装置種別情報と、撮像素子１８の種別を識別するための撮像素子種別情報との対応関係を記憶する。ここで装置種別情報は、内視鏡スコープ１２の型番情報（スコープ型番）であり、撮像素子種別情報は、撮像素子１８の型番情報であってよい。
【００４３】
図７は、型番対応関係記憶部１５０に記憶される対応関係の一例を示す。型番対応関係記憶部１５０においては、装置種別情報であるスコープ型番に、撮像素子種別情報であるＣＣＤイメージセンサの型番（ＣＣＤ型番）が対応付けて記憶されている。図７に示す例では、ＣＣＤ型番が「１」である撮像素子１８を、スコープ型番が「ＳＳＳ−Ａ」、「ＴＴＴ−Ａ」、「ＵＵＵ−Ａ」である内視鏡スコープのそれぞれが搭載していることを示す。またＣＣＤ型番が「２」である撮像素子１８を、スコープ型番が「ＳＳＳ−Ｂ」、「ＴＴＴ−Ｂ」、「ＵＵＵ−Ｂ」である内視鏡スコープのそれぞれが搭載していることを示す。なお図７に例示するスコープ型番において、「ＳＳＳ」ではじまるスコープは上部内視鏡検査用、「ＴＴＴ」ではじまるスコープは下部内視鏡検査用、「ＵＵＵ」ではじまるスコープはＥＲＣＰ検査用、「ＶＶＶ」ではじまるスコープは気管支検査用、「ＷＷＷ」ではじまるスコープは泌尿器用の内視鏡スコープを示すものとする。
【００４４】
これらの対応関係は、スコープメーカにより医療施設に提供されるマスタテーブルに記述される。対応関係に含まれるスコープ型番は、スコープメーカが製造した内視鏡スコープの型番であり、医療施設が保有していないものも含まれている。たとえば医療施設が泌尿器用スコープを保有していなければ、「ＷＷＷ」ではじまるスコープ型番の内視鏡スコープの機器情報は、以下に示すスコープ情報記憶部１５２に含まれない。
【００４５】
スコープ情報記憶部１５２は、医療施設内で管理されている撮像装置である内視鏡スコープ１２を識別するための機器情報と、内視鏡スコープ１２の種別を識別するための装置種別情報との対応関係を記憶する。ここで機器情報は、シリアル番号など個々の内視鏡スコープを識別可能なスコープＩＤであってよく、装置種別情報は、内視鏡スコープ１２の型番情報であってよい。
【００４６】
図８は、スコープ情報記憶部１５２に記憶される対応関係の一例を示す。スコープ情報記憶部１５２においては、医療施設内で保有されている内視鏡スコープ１２の管理番号、スコープＩＤ、スコープ名称、スコープ型番、使用する検査種別とが対応付けられて記憶されている。スコープ情報記憶部１５２に記憶される対応関係は、医療施設によって管理され、新しい内視鏡スコープが導入されると、その内視鏡スコープの情報がスコープ情報記憶部１５２に追加され、また内視鏡スコープが廃棄されると、その内視鏡スコープの情報がスコープ情報記憶部１５２から削除される。
【００４７】
「管理番号」および「施設内でのスコープ名称」は、内視鏡スコープを区別するために医療施設内において設定される。たとえば同じ種別の内視鏡スコープが複数本存在する場合に、それぞれを区別するために、異なる管理番号およびスコープ名称をつけて管理する。「スコープＩＤ」、「スコープ型番」は、内視鏡スコープ固有の情報であり、製造時にスコープメーカにより設定される。
【００４８】
管理番号がＳＳＳ−１、ＳＳＳ−２、ＳＳＳ−３である内視鏡スコープは、同じスコープ型番（ＳＳＳ−Ａ）を有している。このことは、医療施設において、ＳＳＳ−Ａのスコープ型番をもつ同種の内視鏡スコープが３本存在することを意味している。医療施設において、それぞれのスコープ名称は、「ＡＢＣ２６０−１」、「ＡＢＣ２６０−２」、「ＡＢＣ２６０−３」と設定されており、それぞれの呼び名を異ならせることで、医療従事者が、これらを区別できるようにしている。このとき呼び名を印字したシールが、内視鏡スコープ１２の操作部２０に貼り付けられ、医療従事者が、スコープ名を確認できるようにしてもよい。なお施設内で呼び名を個別に設定するかどうかは医療施設の方針によって適宜決められることであり、たとえば呼び名を設定しない医療施設においては、管理番号を印字したシールが操作部２０に貼り付けられて、医療従事者が、それぞれを区別できるようにしてもよい。
【００４９】
図８に示す対応表において、管理番号が「ＳＳＳ−４」、「ＴＴＴ−５」、「ＴＴＴ−６」、「ＴＴＴ−７」のスコープ型番がブランクとなっている。このブランクは、当該スコープが図７に示すマスタテーブルに含まれていないスコープであることを意味している。本実施例において管理番号が「ＳＳＳ−４」、「ＴＴＴ−５」、「ＴＴＴ−６」、「ＴＴＴ−７」のスコープは、図７に示すマスタテーブルを作成したスコープメーカとは異なるメーカによって製造されており、医療施設が、その異なるメーカからマスタテーブルの提供を受けていない場合に、スコープ型番不明として、ブランクを設定している。なお医療施設がスコープ型番を把握している場合には、そのスコープ型番が入力されていてもよい。
【００５０】
図６に示す実施入力画面７０において、医療従事者がスコープアイコン７７を選択すると、使用した内視鏡スコープ１２の絞込検索処理が実行される。なお内視鏡スコープ１２の絞込検索処理は、実施入力画面７０の表示指示が入力された時点で実行されて、スコープアイコン７７が選択されるときには、すでに絞込検索処理が完了した状態となっていてもよい。
【００５１】
本実施例の内視鏡システム１０において、撮像ユニット２２がタイプ１〜タイプ３のいずれかの検査画像を生成することを説明したが、タイプ１の検査画像は、スコープＩＤをメタデータとして有している。そのため検索処理部１００は、検査画像のメタデータを読み出して、機器情報であるスコープＩＤを取得すれば、図８に示す対応関係を参照することで、その検査画像を撮像した内視鏡スコープ１２を特定できる。このように、検査画像にスコープＩＤが付加されている場合には、検索処理部１００が、スコープＩＤから、内視鏡スコープ１２を容易に特定することができる。
【００５２】
一方で、タイプ２およびタイプ３の検査画像は、スコープＩＤをメタデータとして有していない。そこでタイプ２およびタイプ３の検査画像を撮像した内視鏡スコープ１２の絞込検索処理は、タイプ２の検査画像が撮像素子種別情報をメタデータとして有し、一方でタイプ３の検査画像が撮像素子種別情報をメタデータとして有しないことを利用して、以下のように行われる。
【００５３】
撮像素子種別情報取得部１４０が、撮像画像記憶部１６０に記憶された画像に付加されている撮像素子種別情報を取得する。内視鏡検査で撮影された画像がタイプ２のものであれば、撮像素子種別情報取得部１４０は、撮像素子種別情報を取得し、一方で、画像がタイプ３のものであれば、撮像素子種別情報取得部１４０は、撮像素子種別情報を取得しない。
【００５４】
検索処理部１００は、第１検索部１０２および第２検索部１０４を有する。検索処理部１００は、型番対応関係記憶部１５０に記憶された対応関係と、スコープ情報記憶部１５２に記憶された対応関係とを参照して、撮像素子種別情報取得部１４０における取得結果をもとに、撮像状況に適合した１つまたは複数の内視鏡スコープを特定する。
【００５５】
（Ａ）タイプ２の検査画像である場合
検査画像がタイプ２である場合、撮像素子種別情報取得部１４０が、検査画像に付加されている撮像素子種別情報であるＣＣＤイメージセンサの型番を取得する。撮像素子種別情報取得部１４０は、検査において撮像された全ての検査画像のメタデータを参照して、ＣＣＤ型番を取得する。検査中、１つの内視鏡スコープ１２のみが使用される場合には、取得するＣＣＤ型番は１つであるが、複数の内視鏡スコープ１２が使用された場合には、取得するＣＣＤ型番が複数となることがある。
【００５６】
第１検索部１０２は、型番対応関係記憶部１５０に記憶された対応関係を参照して、撮像素子種別情報取得部１４０が取得したＣＣＤ型番に対応付けられている装置種別情報（スコープ型番）を特定する。たとえば、取得したＣＣＤ型番が「１」である場合、第１検索部１０２は、図７に示す対応関係を参照して、ＣＣＤ型番「１」に対応付けられているＳＳＳ−Ａ、ＴＴＴ−Ａ、ＵＵＵ−Ａを特定する。
【００５７】
次に第２検索部１０４は、スコープ情報記憶部１５２に記憶された対応関係を参照して、第１検索部１０２により特定された装置種別情報に対応付けられている機器情報を特定する。第２検索部１０４は、図８に示す対応関係を参照して、ＳＳＳ−Ａ、ＴＴＴ−Ａ、ＵＵＵ−Ａのスコープ型番に対応付けられている機器情報、すなわち「３１２」、「３２３」、「３１０」、「２５６」、「３６２１」、「９３２」のスコープＩＤを特定する。
【００５８】
このとき状況情報取得部１４２が、内視鏡スコープ１２が使用された状況を示す状況情報を取得する。ここで内視鏡検査において内視鏡スコープ１２が使用された状況とは、どの種別の内視鏡検査で使用されたかを示す情報である。状況情報取得部１４２は、検査情報記憶部１７０において登録されている、２０１４年５月２０日に患者ＩＤ「ａｂｃ１２３」に対して実施された検査情報を参照して、検査種別を取得する。ここで患者ＩＤ「ａｂｃ１２３」に対して実施された検査は、上部内視鏡検査であり、したがって状況情報取得部１４２は、撮像時の検査が上部内視鏡検査であることを示す状況情報を第２検索部１０４に提供する。
【００５９】
第２検索部１０４は、状況情報取得部１４２により取得された状況情報を用いて、さらに機器情報を絞り込む。すなわち第２検索部１０４は、「３１２」、「３２３」、「３１０」、「２５６」、「３６２１」、「９３２」のスコープＩＤを含むスコープ情報のうち、さらに検査種別として「上部内視鏡検査」が登録されているスコープ情報を抽出する。この絞り込み処理により、第２検索部１０４は、「３１２」、「３２３」、「３１０」のスコープＩＤを特定する。
【００６０】
このように第２検索部１０４は、第１検索部１０２により特定された装置種別情報と、状況情報取得部１４２により取得された状況情報とに対応付けられている機器情報を特定する。第２検索部１０４による検索処理の結果、使用された内視鏡スコープ１２の候補を、３本に絞り込むことができる。以上は、患者ＩＤ「ａｂｃ１２３」に対して実施された検査が上部内視鏡検査であり、検査画像から取得されたＣＣＤ型番が「１」の場合の絞り込み処理の例である。
【００６１】
次に、使用された内視鏡スコープ１２を１本に絞り込む例について説明する。以下では条件を変更し、患者ＩＤ「ａｂｃ１２３」に対して実施された検査が下部内視鏡検査であり、検査画像から取得されたＣＣＤ型番が「２」の場合について説明する。
【００６２】
第１検索部１０２は、型番対応関係記憶部１５０に記憶された対応関係を参照して、撮像素子種別情報取得部１４０が取得したＣＣＤ型番「２」に対応付けられている装置種別情報（スコープ型番）を特定する。ここでは第１検索部１０２は、図７に示す対応関係を参照して、ＣＣＤ型番「２」に対応付けられているＳＳＳ−Ｂ、ＴＴＴ−Ｂ、ＵＵＵ−Ｂを特定する。
【００６３】
次に第２検索部１０４は、スコープ情報記憶部１５２に記憶された対応関係を参照して、第１検索部１０２により特定された装置種別情報に対応付けられている機器情報を特定する。第２検索部１０４は、図８に示す対応関係を参照して、ＳＳＳ−Ｂ、ＴＴＴ−Ｂ、ＵＵＵ−Ｂのスコープ型番に対応付けられている機器情報、すなわち「８４１」、「５３０」のスコープＩＤを特定する。
【００６４】
また状況情報取得部１４２が、撮像時の検査が下部内視鏡検査であることを示す状況情報を第２検索部１０４に提供する。第２検索部１０４は、状況情報取得部１４２により取得された状況情報を用いて、さらに機器情報を絞り込み、すなわち「８４１」、「５３０」のスコープＩＤを含むスコープ情報のうち、検査種別として「下部内視鏡検査」が登録されているスコープ情報を抽出する。この絞り込み処理により、第２検索部１０４は、「８４１」のスコープＩＤを特定する。この条件においては、第２検索部１０４による検索処理の結果、使用された内視鏡スコープ１２の候補を１本に絞り込むことができる。
【００６５】
（Ｂ）タイプ３の検査画像である場合
次に、検査画像がタイプ３である場合の絞り込み処理について説明する。検査画像がタイプ３である場合、検査画像には、撮像素子種別情報が付加されていない。そのため撮像素子種別情報取得部１４０は、撮像素子種別情報の取得結果として、検査画像から撮像素子種別情報が取得されなかったことを示す情報を検索処理部１００に提供する。
【００６６】
第２検索部１０４は、撮像素子種別情報取得部１４０により撮像素子種別情報が取得されない場合に、スコープ情報記憶部１５２に記憶された対応関係を参照して、型番対応関係記憶部１５０に含まれる装置種別情報を有しない機器情報を特定する。型番対応関係記憶部１５０に含まれる装置種別情報は、ＳＳＳ−Ａ、ＳＳＳ−Ｂ、ＳＳＳ−Ｃ、ＳＳＳ−Ｄ、ＴＴＴ−Ａ、ＴＴＴ−Ｂ、ＴＴＴ−Ｃ、ＴＴＴ−Ｄ、ＵＵＵ−Ａ、ＵＵＵ−Ｂ、ＵＵＵ−Ｃ、ＵＵＵ−Ｄ、ＶＶＶ−Ａ、ＶＶＶ−Ｂ、ＶＶＶ−Ｃ、ＶＶＶ−Ｄであり、第２検索部１０４は、検査画像を撮像した内視鏡スコープ１２が、これらのスコープ型番で特定されるものではないことを判定する。図８において、スコープＩＤが「２１」、「３２１５」、「９７４２」、「１５３１」であるスコープ情報のスコープ型番がブランクに設定されており、第２検索部１０４は、これらの内視鏡スコープが、型番対応関係記憶部１５０に含まれる装置種別情報を有しないスコープであることを特定する。なお、図８においては、これらのスコープ型番をブランクで表現しているが、実際のスコープ型番が含まれていてもよい。
【００６７】
状況情報取得部１４２が、内視鏡スコープ１２が使用された状況を示す状況情報を取得する。ここで内視鏡検査において内視鏡スコープ１２が使用された状況とは、どの種別の内視鏡検査で使用されたかを示す情報である。状況情報取得部１４２は、検査情報記憶部１７０において登録されている、２０１４年５月２０日に患者ＩＤ「ａｂｃ１２３」に対して実施された検査情報を参照して、検査種別を取得する。ここで患者ＩＤ「ａｂｃ１２３」に対して実施された検査は、上部内視鏡検査であり、したがって状況情報取得部１４２は、撮像時の検査が上部内視鏡検査であることを示す状況情報を第２検索部１０４に提供する。
【００６８】
第２検索部１０４は、状況情報取得部１４２により取得された状況情報を用いて、さらに機器情報を絞り込む。すなわち第２検索部１０４は、「２１」、「３２１５」、「９７４２」、「１５３１」のスコープＩＤを含むスコープ情報のうち、さらに検査種別として「上部内視鏡検査」が登録されているスコープ情報を抽出する。この絞り込み処理により、第２検索部１０４は、「２１」のスコープＩＤを特定する。この場合、第２検索部１０４による検索処理の結果、使用された内視鏡スコープ１２の候補を１本に絞り込むことができる。
【００６９】
以上のように検索処理部１００は、検査画像がタイプ２であっても、タイプ３であっても、撮像素子種別情報取得部１４０における撮像素子種別情報の取得結果に応じて、使用された内視鏡スコープ１２の候補を絞り込むことができる。検索処理部１００は、絞り込んだ結果を制御部１２０に提供する。
【００７０】
制御部１２０は、判定部１２２、登録制御部１２４、表示制御部１２６および入力受付部１２８を備える。判定部１２２は、検索処理部１００から検索結果を受け取り、検索処理部１００により特定された内視鏡スコープ１２の数が１つか複数であるかを判定する。判定部１２２により、絞り込まれた内視鏡スコープ１２の数が１つであることが判定されると、登録制御部１２４が、その内視鏡スコープ１２の機器情報を、検査情報として検査情報記憶部１７０に登録する。なお、ここで登録する機器情報は、内視鏡スコープ１２を一意に識別できるものであればよく、スコープＩＤであってよい。なお、スコープに対して医療施設内で設定される管理番号やスコープ名称も、少なくとも医療施設内では、内視鏡スコープ１２を一意に識別できる識別情報であり、したがって、管理番号ないしはスコープ名称が、検査情報として検査情報記憶部１７０に登録されてもよい。
【００７１】
一方で、判定部１２２により、絞り込まれた内視鏡スコープ１２の数が複数であることが判定されると、表示制御部１２６が、複数の内視鏡スコープ１２の機器情報を表示装置３６に表示する。ここで表示する機器情報は、医療従事者が、スコープを区別できるように、少なくとも管理番号および／またはスコープ名称が含まれることが好ましい。
【００７２】
図９は、実施入力画面７０に重畳表示される入力用ウィンドウ２００の一例を示す。図８を参照して、この医療施設内には４本の上部内視鏡検査用スコープが存在するところ、検索処理により絞り込まれて、４本よりも少ない３本のスコープ候補を表示できるようになっている。なお医療施設がＳＳＳ−Ｂ、ＳＳＳ−Ｃ、ＳＳＳ−Ｄのスコープ型番を有する上部内視鏡検査用スコープを多数保有している場合には、３本に絞り込めることで、絞込効果はさらに大きくなる。
【００７３】
表示制御部１２６は、検索処理部１００により絞り込まれたスコープ候補の一覧を入力用ウィンドウ２００に表示する。医療従事者は、入力用ウィンドウ２００において、表示された複数の内視鏡スコープの機器情報の中から、使用した内視鏡スコープ１２を選択する。少なくとも１つの機器情報が選択され、ＯＫボタンが操作されると、入力受付部１２８は、選択入力を受け付け、登録制御部１２４は、選択された機器情報を検査情報として検査情報記憶部１７０に登録する。
【００７４】
なお医療従事者は、入力用ウィンドウ２００において、複数の内視鏡スコープを選択してもよい。たとえば、内視鏡検査において複数のスコープを使用した場合には、入力受付部１２８が複数の選択入力を受け付け、登録制御部１２４が、選択された複数の機器情報を検査情報として検査情報記憶部１７０に登録する。
【００７５】
このように制御部１２０は、検索処理部１００により検索処理された絞込結果が１つのスコープを示す場合には、そのスコープが、検査に使用した内視鏡スコープ１２であることを判定し、検査情報記憶部１７０に登録する。また、検索処理部１００により検索処理された絞込結果が複数のスコープを示す場合には、それらのスコープを一覧表示して、医療従事者に選択させる。本実施例によると、検索処理により、検査の撮像状況に適合するスコープを絞り込むことで、医療従事者のスコープ選択における作業負担を軽減することが可能となる。
【００７６】
なお、絞込結果が１つのスコープを示す場合には、登録制御部１２４が、検査情報記憶部１７０に検査情報として登録するとともに、表示制御部１２６が、図６に示すスコープアイコン７７の横に、登録したスコープ情報を実施情報として表示してもよい。スコープ情報を表示することで、医療従事者は、使用したスコープ情報が検査情報として登録されていることを確認できるため、スコープアイコン７７を押す操作を行わなくてすむ。
【００７７】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。実施例では、撮像装置として内視鏡スコープについて説明したが、撮像装置は内視鏡に接続するカメラヘッドであってもよい。
【００７８】
実施例においては、内視鏡検査の検査画像に付加されたメタデータから、内視鏡スコープ１２の絞り込み処理を行うことを示したが、他の種類の医用画像から、内視鏡スコープ１２以外の撮像装置の絞り込み処理を行うことも可能である。また医用画像に限らず、撮像画像のメタデータから、撮像装置の絞り込み処理を行うことも可能である。
【符号の説明】
【００７９】
１・・・情報処理システム、１０・・・内視鏡システム、１２・・・内視鏡スコープ、１４・・・画像処理装置、１８・・・撮像素子、２２・・・撮像ユニット、３４・・・情報処理装置、３６・・・表示装置、４２・・・医用画像管理装置、４４・・・検査情報管理装置、１００・・・検索処理部、１０２・・・第１検索部、１０４・・・第２検索部、１２０・・・制御部、１２２・・・判定部、１２４・・・登録制御部、１２６・・・表示制御部、１２８・・・入力受付部、１４０・・・撮像素子種別情報取得部、１４２・・・状況情報取得部、１５０・・・型番対応関係記憶部、１５２・・・スコープ情報記憶部、１６０・・・撮像画像記憶部、１７０・・・検査情報記憶部、２００・・・入力用ウィンドウ。
【図１】
2016053833.tif 000003
【図２】
2016053833.tif 000004
【図３】
2016053833.tif 000005
【図４】
2016053833.tif 000006
【図５】
2016053833.tif 000007
【図６】
2016053833.tif 000008
【図７】
2016053833.tif 000009
【図８】
2016053833.tif 000010
【図９】
2016053833.tif 000011